(57)【要約】【課題】監視領域における安全性を機動的に確保することを課題とする。【解決手段】警報器１０は、発炎火災とくん焼火災の発生状況とをそれぞれ想定して定められた検出処理内容、警報処理内容および移報処理内容を「発炎モード」および「くん焼モード」として記憶部１７に記憶する。また、警報器１０は、モード切替スイッチ１３を介して、利用者（若しくは専門の設置業者）に「発炎モード」または「くん焼モード」のいずれかを選択させる。そして、警報器１０は、モード切替スイッチ１３を介して選択されたモードの検出処理、警報処理および移報処理を実行する。【選択図】        図２
2005165740.tif 000002
【特許請求の範囲】
【請求項１】
監視領域で発生する異常に対して検出処理、警報処理および／または移報処理を実行する警報器であって、
特性の異なる複数の異常および／または利用者をそれぞれ想定して定められた複数の検出処理内容、警報処理内容および／または移報処理内容を記憶する記憶手段と、
前記記憶手段に記憶された複数の検出処理内容、警報処理内容および／または移報処理内容のなかから所定の処理内容の選択を受け付ける選択受付手段と、
前記選択受付手段によって選択された処理内容に基づいた検出処理、警報処理および／または移報処理を実行するように制御する制御手段と、
を備えたことを特徴とする警報器。
【請求項２】
前記記憶手段は、前記特性の異なる複数の異常として、発生状況が異なる複数の火災にそれぞれ対応した複数の検出処理内容、警報処理内容および／または移報処理内容を記憶することを特徴とする請求項１に記載の警報器。
【請求項３】
前記記憶手段は、前記特性の異なる複数の利用者として、知覚能力、運動能力および／またはライフスタイルが異なる複数の利用者にそれぞれ対応した複数の検出処理内容、警報処理内容および／または移報処理内容を記憶することを特徴とする請求項１に記載の警報器。
【請求項４】
前記選択受付手段は、火災の発生状況、利用者の知覚能力、運動能力および／またはライフスタイルの選択を通じて、前記所定の処理内容に対する選択を受け付けることを特徴とする請求項１、２または３に記載の警報器。
【請求項５】
前記選択受付手段は、警報器の設置場所の選択を通じて、前記所定の処理内容に対する選択を受け付けることを特徴とする請求項１、２または３に記載の警報器。
【請求項６】
壁掛け用の係止手段を備えたことを特徴とする請求項１〜５のいずれか一つに記載の警報器。
【発明の詳細な説明】
【技術分野】
【０００１】
この発明は、火災警報器やガス漏れ警報器、火災ガス漏れ警報器など、監視領域で発生する異常に対して検出処理や警報処理、移報処理を実行する警報器に関する。
【背景技術】
【０００２】
従来より、オフィスや一般住宅などの監視領域では、火災警報器やガス漏れ警報器、火災ガス漏れ警報器など、火災やガス漏れなどの異常を検出して警報や移報などを行う警報器が広く利用されている。そして、このような警報器には、設置場所を考慮した処理を実行するようにしたものもある。
【０００３】
例えば、特許文献１（特開２００２−７４５３４号公報）に開示された警報器では、非火災報の軽減を目的として、寝室用レベル、一般居室用レベル、台所用レベルといった具合に火災判断基準を設置場所に応じて切り替えるようにしている。また、例えば、特許文献２（特開２００３−４４９５５号公報）では、火災の発生場所判断の容易化を目的として、「台所が火事です」、「寝室が火事です」といった具合に警報内容を設置場所に応じて切り替えるようにしている。
【０００４】
【特許文献１】特開２００２−７４５３４号公報
【特許文献２】特開２００３−４４９５５号公報
【発明の開示】
【発明が解決しようとする課題】
【０００５】
しかしながら、上記した従来の技術は、設置場所を考慮した処理を実行するに過ぎず、特性の異なる複数の異常や利用者を考慮した場合には、検出処理や警報処理、移報処理が未だ画一的であるという問題点があった。
【０００６】
これを具体的に説明すると、例えば、同種の異常である火災にも「発炎火災」や「くん焼火災」など、特性（発生状況）が異なる複数の火災がある。ここで、「発炎火災」とは、天ぷら調理中にガス火を消し忘れて天ぷら油が発火することで発生する火災等のように、煙に続いて炎が発生する火災である。より詳細には、その発生状況としては、図１２に例示するように、消し忘れから数分後に発煙が起こり、この発煙（主に白煙）によって煙濃度が急上昇し、さらに油に発火が起こると、黒煙が発生してＣＯ濃度が急上昇するとともに室温も上昇する。また、発炎火災の発生状況において、利用者は食事中や電話中であるなど、火の元を忘れて（離れて）別のことに集中している場合が多い。
【０００７】
一方、「くん焼火災」とは、就寝前に消し忘れたタバコが布団に着火することで発生する火災等のように、煙やＣＯガス等の有毒ガスだけが発生して炎はほとんど発生しない火災である。より詳細には、その発生状況としては、図１３に例示するように、着火によって煙が発生し、この煙によって煙濃度およびＣＯ濃度が数時間を掛けて徐々に上昇するが、炎が発生しないため、室温は余り影響を受けない。また、くん焼火災の発生状況において、利用者は就寝中であるなど、火災の発生に気付き難い場合が多い。
【０００８】
このように、同種の異常である火災にも特性が異なる複数の火災があるが、上記の従来技術では、かかる特性の違いを何ら考慮することなく、例えば、発生した異常が「発炎火災」である場合も「くん焼火災」である場合も、同様の検出処理や警報処理、移報処理を画一的に実行していた。
【０００９】
さらに、同種ではあるが特性の異なる複数の異常があるのと同様、警報器を利用する各利用者も一般的に異なる特性を有する。すなわち、例を挙げれば、大人と子供や老人、健常者と視覚障害者や聴覚障害者とでは、警報内容を知覚する能力に違いがある。また、大人と老人、健常者と障害者とでは、消火活動や避難活動などを行う際の運動能力にも違いがある。さらに、喫煙者であるか非喫煙者であるか等のライフスタイルにも違いがある。
【００１０】
このように、警報器を利用する利用者それぞれも異なる特性を有するが、上記の従来技術では、かかる特性の違いを何ら考慮することなく、例えば、警報器の利用者が「大人」である場合も「老人」である場合も、同様の検出処理や警報処理、移報処理を画一的に実行していた。
【００１１】
そこで、この発明は、上述した従来技術の課題を解決するためになされたものであり、特性の異なる複数の異常や利用者にそれぞれ対応した検出処理、警報処理、移報処理を実行することで、監視領域における安全性を機動的に確保することが可能な警報器を提供することを目的とする。
【課題を解決するための手段】
【００１２】
上述した課題を解決し、目的を達成するため、請求項１に係る発明は、監視領域で発生する異常に対して検出処理、警報処理および／または移報処理を実行する警報器であって、特性の異なる複数の異常および／または利用者をそれぞれ想定して定められた複数の検出処理内容、警報処理内容および／または移報処理内容を記憶する記憶手段と、前記記憶手段に記憶された複数の検出処理内容、警報処理内容および／または移報処理内容のなかから所定の処理内容の選択を受け付ける選択受付手段と、前記選択受付手段によって選択された処理内容に基づいた検出処理、警報処理および／または移報処理を実行するように制御する制御手段と、を備えたことを特徴とする。
【００１３】
また、請求項２に係る発明は、上記の発明において、前記記憶手段は、前記特性の異なる複数の異常として、発生状況が異なる複数の火災にそれぞれ対応した複数の検出処理内容、警報処理内容および／または移報処理内容を記憶することを特徴とする。
【００１４】
また、請求項３に係る発明は、上記の発明において、前記記憶手段は、前記特性の異なる複数の利用者として、知覚能力、運動能力および／またはライフスタイルが異なる複数の利用者にそれぞれ対応した複数の検出処理内容、警報処理内容および／または移報処理内容を記憶することを特徴とする。
【００１５】
また、請求項４に係る発明は、上記の発明において、前記選択受付手段は、火災の発生状況、利用者の知覚能力、運動能力および／またはライフスタイルの選択を通じて、前記所定の処理内容に対する選択を受け付けることを特徴とする。
【００１６】
また、請求項５に係る発明は、上記の発明において、前記選択受付手段は、警報器の設置場所の選択を通じて、前記所定の処理内容に対する選択を受け付けることを特徴とする。
【００１７】
また、請求項６に係る発明は、上記の発明において、壁掛け用の係止手段を備えたことを特徴とする。
【発明の効果】
【００１８】
請求項１の発明によれば、特性の異なる複数の異常および／または利用者にそれぞれ対応した検出処理、警報処理および／または移報処理を実行することで、監視領域における安全性を機動的に確保することが可能になる。
【００１９】
また、請求項２の発明によれば、発炎火災やくん焼火災など、発生状況が異なる複数の火災にそれぞれ対応した処理を実行することで、種々の火災に対して安全性を機動的に確保することが可能になる。
【００２０】
また、請求項３の発明によれば、大人や老人、子供、健常者、障害者、喫煙者、非喫煙者など、知覚能力や運動能力、ライフスタイルが異なる複数の利用者にそれぞれ対応した処理を実行することで、種々の利用者の安全性を機動的に確保することが可能になる。
【００２１】
また、請求項４の発明によれば、異常や利用者の特性と処理内容とを関係付けること（例えば、モード切替スイッチに「発炎」および「くん焼」のモード名を明示すること）で、各処理内容の狙いが理解できない利用者でも、適切な処理内容を選択することが可能になる。
【００２２】
また、請求項５の発明によれば、警報器の設置場所と処理内容とを関係付ける（例えば、寝室とくん焼火災モードとを関係付ける）ことで、各処理内容の狙いが理解できない利用者や、さらには異常や利用者の特性を判断できない利用者（例えば、くん焼火災の意味内容を知らない利用者）でも、簡易に適切な処理内容を選択することが可能になる。
【００２３】
また、請求項６の発明によれば、天井設置型の警報器に比較して、警報器本体を所望の監視領域に容易に設置することができ、処理内容の選択を容易に切り替えることも可能になる。さらに、このことを前提に、対象とする異常や利用者の特性を一層具体的に解析して実効的に特化した処理内容を定めることもでき、高度な安全性を確保することも可能になる。
【発明を実施するための最良の形態】
【００２４】
以下に添付図面を参照して、この発明に係る警報器の実施例を詳細に説明する。なお、以下では、本実施例に係る警報器の概要および特徴（１：警報器の概要および特徴）を説明した後に、各部の構成および処理内容（２：警報器各部の構成および処理内容）を説明し、最後に本実施例に対する種々の変形例（３：他の実施例）を説明する。
【実施例】
【００２５】
［１：警報器の概要および特徴］
まず最初に、図１−１、図１−２および図２を用いて、本実施例に係る警報器の概要および特徴を説明する。図１−１は、本実施例に係る警報器の正面の外観構成を示す外観図であり、図１−２は、この警報器の側面の外観構成を示す外観図であり、図２は、この警報器の内部構成を示すブロック図である。
【００２６】
この警報器１０は、監視領域で発生する火災（煙）に対して検出処理、警報処理および移報処理を実行する煙検知の火災警報器であり、一般住宅の台所や寝室、リビングのほか、オフィスの一室などの比較的に小さな監視領域の壁に、係止部３を介して設置される。
【００２７】
すなわち、この警報器１０では、台所や寝室などの設置場所で発生した火災を煙検出部１１で検出し、この火災検出に応じて警報ランプ６を点灯させるとともに、スピーカ７から警報メッセージを出力し、さらに、移報用リード線８を介して他の機器（例えば、隣室の警報器や屋外の火災表示灯など）に移報信号を出力する。
【００２８】
ここで、本実施例に係る警報器１０は、火災に対する検出処理、警報処理、移報処理に主たる特徴があり、特性の異なる複数の火災や利用者にそれぞれ対応した検出処理、警報処理、移報処理を実行することで、監視領域における安全性を機動的に確保することができるようにしている。
【００２９】
この主たる特徴を具体的に説明すると、上記の「発明が解決しようとする課題」でも述べたが、同種の異常である火災にも「発炎火災」や「くん焼火災」など、特性（発生状況）が異なる複数の火災がある。このうち、「発炎火災」とは、天ぷら調理中にガス火を消し忘れて天ぷら油が発火することで発生する火災等のように、煙に続いて炎が発生する火災であり、その発生状況は図１２に例示するようなものである。すなわち、消し忘れから数分後に発煙が起こり、この発煙（主に白煙）によって煙濃度が急上昇し、さらに油に発火が起こると、黒煙が発生してＣＯ濃度が急上昇するとともに室温も上昇する。また、かかる発生状況において、利用者は食事中や電話中であるなど、火の元を忘れて（離れて）別のことに集中している場合が多い。
【００３０】
一方、「くん焼火災」とは、就寝前に消し忘れたタバコが布団に着火することで発生する火災等のように、煙だけが発生して炎はほとんど発生しない火災であり、その発生状況は、図１３に例示するようなものである。すなわち、着火によって煙が発生し、この煙によって煙濃度およびＣＯ濃度が数時間を掛けて徐々に上昇するが、炎が発生しないため、室温は余り影響を受けない。また、かかる発生状況において、利用者は就寝中であるなど、火災の発生に気付き難い場合が多い。さらに、ＣＯガスが発生することから危険な状況にある。
【００３１】
このように、同種の異常である火災にも特性が異なる複数の火災がある。また、これと同様に、上記の「発明が解決しようとする課題」でも述べたが、警報器１０を利用する各利用者も一般的に異なる特性を有する。すなわち、例を挙げれば、大人と子供や老人、健常者と視覚障害者や聴覚障害者とでは、警報内容を知覚する能力に違いがある。また、大人と老人、健常者と障害者とでは、消火活動や避難活動などを行う際の運動能力にも違いがある。さらに、喫煙者であるか非喫煙者であるか等のライフスタイルにも違いがある。
【００３２】
そこで、本実施例に係る警報器１０では、「同種の異常である火災にも特性が異なる複数の火災があり、警報器１０を利用する利用者それぞれも異なる特性を有すること」に鑑み、特性の異なる複数の火災や利用者をそれぞれ想定して定められた複数の検出処理内容、警報処理内容、移報処理内容をテーブルに記憶する。つまり、例を挙げれば、図３−１〜図３−３に示すように、「発炎火災」の発生状況と「くん焼火災」の発生状況とをそれぞれ想定し、「発炎モード」および「くん焼モード」ごとに検出処理内容、警報処理内容および移報処理内容をそれぞれ規定する。
【００３３】
その上で、警報器１０では、テーブルに記憶された複数の検出処理内容、警報処理内容、移報処理内容のなかから所定の処理内容の選択を受け付ける。つまり、例を挙げれば、図１−１に示すモード切替スイッチ１３を介して、利用者（若しくは専門の設置業者）に「発炎モード」または「くん焼モード」のいずれかを選択させる。なお、利用者は、天ぷら火災を想定して台所に警報器１０を設置するような場合には「発炎モード」を選択し、また、タバコ火災を想定して寝室に警報器１０を設置するような場合には「くん焼モード」を選択する。
【００３４】
そして、警報器１０では、モード切替スイッチ１３を介して選択された処理内容に基づいた検出処理、警報処理、移報処理を実行する。つまり、例を挙げれば、「発炎モード」が選択されている場合には、図３−１〜図３−３に示す「発炎モード」の処理内容をそれぞれ実行し、また、「くん焼モード」が選択されている場合には、同図に示す「くん焼モード」の処理内容をそれぞれ実行する。
【００３５】
このようなことから、本実施例に係る警報器１０によれば、特性の異なる複数の火災（例えば、発炎火災やくん焼火災など）や利用者（例えば、大人、老人、子供、健常者、障害者、喫煙者、非喫煙者など）にそれぞれ対応した検出処理、警報処理、移報処理を実行することで、上記した主たる特徴の如く、監視領域における安全性を機動的に確保することが可能になる。
【００３６】
［２：警報器各部の構成および処理内容］
次に、図１−１、図１−２および図２を用いて、本実施例に係る警報器１０各部の構成および処理内容を説明する。この警報器１０の外観は、図１−１および図１−２に示すように、表カバー１および裏カバー２からなる筐体として形成され、その上部（裏カバー２の上面）には、壁掛け用の取付穴４を備えた係止部３が一体的に形成されている。そして、監視領域の壁面に取り付けたビス５に対して、係止部３の取付穴４を嵌め入れることで警報器１０が設置される。
【００３７】
また、表カバー１の上部には、皿状に突出した煙検出部（チャンバー収容部）１１が形成され、煙検出部１１の周囲には、複数の煙流入口が設けられている。さらに、表カバー１の下部には、警報を出力するための警報ランプ６およびスピーカ７と、モード設定を受け付けるモード切替スイッチ１３が形成されている。また、警報器１０本体の下部には、警報点検や警報停止に使用する点検スイッチ１２が形成され、さらに、警報器１０の内部からは、移報信号を他の機器に出力するための移報用リード線８が引き出されている。
【００３８】
このような外観を備える警報器１０の内部は、図２に示すように、煙検出部１１と、点検スイッチ１２と、モード切替スイッチ１３と、表示出力部１４と、音声出力部１５と、移報出力部１６と、記憶部１７と、制御部（ＣＰＵ）２０とを備えて構成される。なお、モード切替スイッチ１３は特許請求の範囲に記載の「選択受付手段」に対応し、記憶部１７は同じく「記憶手段」に対応し、制御部２０は同じく「制御手段」に対応する。
【００３９】
このうち、煙検出部１１は、監視領域における火災の発生を検出する処理部である。具体的には、赤外線ＬＥＤおよびフォトダイオードを用いて火災時に発生する煙の濃度を検出し、その数値からなる検出信号を制御部２０に出力する。なお、煙濃度の感知手法は、必ずしも光電式感知に限定されるものではなく、いわゆるイオン化式感知などの他手法を任意に採用してもよい。
【００４０】
点検スイッチ１２は、警報点検や警報停止を受け付ける手段である。具体的には、監視時に点検スイッチ１２が引かれると、制御部２０は警報ランプ６およびスピーカ７から点検用の警報を出力し、また、警報出力時に点検スイッチ１２が引かれると、制御部２０は警報の出力を停止するように制御する。
【００４１】
モード切替スイッチ１３は、後述する記憶部１７に記憶された複数の検出処理内容、警報処理内容、移報処理内容の中から所定の処理内容の選択を受け付ける手段である。具体的には、本実施例では、後述するように「発炎モード」と「くん焼モード」に区分けして処理内容をそれぞれ規定しているため（図３−１〜図３−３参照）、図１−１に示すように、モード切替スイッチ１３も、利用者（若しくは専門の設置業者）に「発炎モード」または「くん焼モード」のいずれかを選択させるように構成されている。
【００４２】
警報ランプ６は、表示出力部１４の制御に基づいて点灯または点滅することによって、警報器１０による火災検出状態を周囲に報知する赤色ＬＥＤなどの表示灯手段である。そして、表示出力部１４は、制御部２０からの指示に応じて、警報ランプ６を点灯または点滅させる処理部である。なお、表示出力部１４の具体的な処理内容については、制御部２０の処理内容として後述する。
【００４３】
スピーカ７は、音声出力部１５の制御に基づいて警報メッセージやブザー音を監視領域に出力することによって、警報器１０による火災検出状態を周囲に報知する手段である。そして、音声出力部１５は、制御部２０からの指示に応じて、火災検出時にスピーカ７を介して警報メッセージやブザー音を出力する処理部である。なお、音声出力部１５の具体的な処理内容についても、制御部２０の処理内容として後述する。
【００４４】
移報用リード線８は、警報器１０と他の機器（例えば、隣室の警報器や屋外の火災表示灯など）とを通信可能に接続するための接続手段である。そして、移報出力部１６は、制御部２０からの指示に応じて、火災検出時に移報用リード線８を介して他の機器に移報信号を出力する処理部である。なお、移報出力部１６の具体的な処理内容についても、制御部２０の処理内容として後述する。
【００４５】
記憶部１７は、制御部２０による各種処理に必要なデータおよびプログラムを格納する格納手段（記憶手段）であり、特に本発明に密接に関連するものとしては、図３−１〜図３−３に示すように、検出処理用テーブル１７ａと、警報処理用テーブル１７ｂと、移報処理用テーブル１７ｃとを備える。
【００４６】
このうち、検出処理用テーブル１７ａは、制御部２０による火災検出処理に用いる情報を記憶する手段であり、具体的には、図３−１に例示するように、発炎モードとくん焼モードとに区分けして、火災発生の判断に用いる閾値濃度を記憶して構成される。
【００４７】
また、警報処理用テーブル１７ｂは、制御部２０による警報処理に用いる情報を記憶する手段であり、具体的には、図３−２に例示するように、発炎モードとくん焼モードとに区分けして、火災発生の際に実行する警報処理内容を記憶して構成される。
【００４８】
さらに、移報処理用テーブル１７ｃは、制御部２０による移報処理に用いる情報を記憶する手段である。
【００４９】
図２に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、モード設定部２１と、検出処理部２２と、警報処理部２３と、移報処理部２４とを備える。
【００５０】
このうち、モード設定部２１は、モード切替スイッチ１３によるモード選択に応じてモードを設定する処理である。具体的には、モード切替スイッチ１３によって選択されたモード（本実施例では、発炎モードまたはくん焼モードのいずれか一方）を記憶部１７に書き込む。なお、後述する検出処理部２２、警報処理部２３および移報処理部２４は、この記憶部１７に現に書き込まれているモードに基づいて処理を実行する。
【００５１】
検出処理部２２は、煙検出部１１から入力された検出信号（煙濃度）に基づいて火災の有無を判断する処理部である。具体的には、煙検出部１１から煙濃度が入力された場合に、これを検出処理用テーブル１７ａに記憶された閾値濃度と比較することによって、火災発生の有無を判断し、火災が発生したと判断すると、警報処理部２３および移報処理部２４に火災信号を出力する。
【００５２】
ここで、検出処理部２２は、図３−１に示したように、発炎モードとくん焼モードとでは、異なる閾値濃度を用いて火災発生の有無を判断する。すなわち、同図に示すように、発炎モードでは、周囲の煙濃度が１０（％／ｍ）以上に達したか否かを判定し、くん焼モードでは、周囲の煙濃度が１５（％／ｍ）以上に達したか否かを判定する。なお、このように、発炎モードの閾値濃度をくん焼モードよりも高感度に定める（低い煙濃度でも反応させる）意義は、図１２および図１３に例示したように、発炎火災の煙濃度はくん焼火災に比較して急激に上昇するため、早めに警報処理を開始することを可能にする点にある。
【００５３】
警報処理部２３は、検出処理部２２からの火災信号に基づいて火災発生の警報を行う処理部である。具体的には、検出処理部２２から火災信号が入力された場合に、警報処理用テーブル１７ｂに記憶された警報処理内容を実行するように、表示出力部１４および音声出力部１５を制御することで、所定の音声メッセージおよびブザー音をスピーカ７から出力するとともに、警報ランプ７を点灯または点滅させる。
【００５４】
ここで、警報処理部２３は、図３−２に示したように、発炎モードとくん焼モードとでは、異なる警報処理内容で火災発生の警報を行う。すなわち、同図に示すように、発炎モードでは、「ウーウー  火事です  火事です」という警報メッセージ付きの警報音を９０ｄｂでスピーカ７から出力するとともに、警報ランプ６を連続点灯させる。その一方、くん焼モードでは、同図に示すように、「ピーピー火事です  火事です」という警報メッセージ付きの警報音を７５ｄｂでスピーカ７から出力するとともに、警報ランプ６を５秒間隔で点灯させる。
【００５５】
なお、このように、発炎モードの音声レベルをくん焼モードよりも大きくする（大音量で警報を出力する）意義は、発炎火災の場合には、利用者は食事中や電話中であるなど、火の元を忘れて（離れて）別のことに集中している場合が多いため、大音量で警報を確実に知覚することを可能にする点にある。また、くん焼モードの表示出力を点灯ではなく点滅にする意義は、くん焼火災の場合には、利用者は就寝中であるなど、火災の発生に気付き難い場合が多いため、変化を付けて警報を確実に知覚することを可能にする点にある。なお、くん焼モードの音声レベルも７５ｄｂで出力されることから警報音としては充分な大きさである。
【００５６】
移報処理部２４は、検出処理部２２からの火災信号に基づいて火災発生の移報を行う処理部である。
【００５７】
上述してきたように、本実施例に係る警報器１０によれば、発炎火災やくん焼火災など、発生状況が異なる複数の火災にそれぞれ対応した処理を実行することで、種々の火災に対して安全性を機動的に確保することが可能になる。
【００５８】
また、本実施例に係る警報器１０によれば、火災の特性と処理内容とを関係付けること（より具体的には、モード切替スイッチ１３に「発炎」および「くん焼」のモード名を明示すること）で、各モードの処理内容の狙いが理解できない利用者でも、適切な処理内容を選択することが可能になる。
【００５９】
さらに、本実施例に係る警報器１０によれば、天井設置型の警報器に比較して、警報器本体を所望の監視領域に容易に設置することができ、モード（処理内容）の選択を容易に切り替えることも可能になる。さらに、このことを前提に、対象とする火災の特性を一層具体的に解析して実効的に特化した処理内容を定めることもでき、高度な安全性を確保することも可能になる。
【００６０】
［３：他の実施例］
さて、これまで本発明の実施例について説明したが、本発明は上述した実施例以外にも、特許請求の範囲に記載した技術的思想の範囲内において種々の異なる形態にて実施されてよいものである。そこで、以下に示すように、（１）他の処理内容、（２）複数のレベル、（３）他の検出手法、（４）他の火災モード、（５）他のモード選択手法、（６）利用者の特性、（７）他の警報手法、（８）火災および利用者の特性、（９）他の警報器、（１０）システム構成等、にそれぞれ区分けして異なる実施例を説明する。
【００６１】
（１）他の処理内容
上記の実施例で説明した検出処理、警報処理および移報処理の内容（図３−１〜図３−３参照）はあくまでも例示であって、本発明はこれに限定されるものではなく、これとは異なる他の処理を行う場合でも、複数の検出処理内容、警報処理内容および／または移報処理内容を実行するものであれば本発明を同様に適用することができる。
【００６２】
すなわち、例を挙げれば、図４−１に例示するように、発炎モードでは、周囲の煙濃度が３０秒の蓄積時間に渡って１０（％／ｍ）以上に達したか否かを判定し、くん焼モードでは、周囲の煙濃度が６０秒の蓄積時間に渡って１０（％／ｍ）以上に達したか否かを判定するなど、閾値ではなく蓄積時間を変えて検出処理を行うようにしてもよい。なお、このように、発炎モードの蓄積時間を短くする意義は、発炎火災の煙濃度はくん焼火災に比較して急激に上昇するため、早めに警報処理を開始することを可能にする点にある。
【００６３】
さらに、例を挙げれば、図４−２に例示するように、発炎モードでは、「ウーウー  発炎火災です  発炎火災です」という警報メッセージ付きの警報音を７５ｄｂでスピーカ７から出力し、くん焼モードでは、「ピーピー  くん焼火災です  くん焼火災です」という警報メッセージ付きの警報音を７５ｄｂでスピーカ７から出力するなど、音量ではなくメッセージ内容を変えて警報処理を行うようにしてもよい。
【００６４】
（２）複数のレベル
上記の実施例では、火災検出における初期の検出処理（いわゆる作動レベルでの処理）に本発明を適用した場合を説明したが、本発明はこれに限定されるものではなく、初期検出後の処理（いわゆる移報レベルや連動レベルでの処理）にも本発明を同様に適用することができる。
【００６５】
すなわち、例を挙げれば、図５−１に例示するように、発炎モードでは、１０（％／ｍ）でレベル１（作動レベル）を判定した後に、１５（％／ｍ）でレベル２を判定し、くん焼モードでは、１５（％／ｍ）でレベル１（作動レベル）を判定した後に、２０（％／ｍ）でレベル２を判定するなど、複数のレベル毎でも異なる検出処理を行うようにしてもよい。
【００６６】
また、このように複数のレベル毎でも異なる検出処理を行う場合には、図５−２に例示するように、モードおよびレベルに応じて異なる警報処理を行うようにしてもよい。つまり、発炎モードでは、レベル１で「ウーウー  警報器が作動しました  火の元を確認して下さい」という警報メッセージ付きの警報音を９０ｄｂで出力した後に、レベル２で「ウーウー  火事です  火事です  避難して下さい」という警報メッセージ付きの警報音を９０ｄｂで出力する。一方で、くん焼モードでは、レベル１で「ピーピー  警報器が作動しました  換気して下さい」という警報メッセージ付きの警報音を７５ｄｂで出力した後に、レベル２で「ピーピー  火事です  火事です  避難して下さい」いう警報メッセージ付きの警報音を９０ｄｂで出力するなど、レベル２でもモードによって異なる警報処理を実行してもよい。
【００６７】
なお、このように、火災検出における初期の処理だけでなく、その後の処理においてもモードごとに異なる処理を実行する意義は、図１２および図１３に示したように、発炎火災とくん焼火災とでは、火災検出後の状況も互いに相違するため、火災検出後の状況（特性）に対しても機動的に対応することを可能にする点にある。特に、発炎火災ではレベル２で早急に利用者を避難させる必要があり、くん焼火災ではレベル１でもＣＯが発生していることから早急に換気を行う必要があるので、図５−２に例示したように、各モードで適切なアドバイスを含んだ警報処理を行うことは有効である。
【００６８】
（３）他の検出手法
上記の実施例では、火災によって生じる煙から火災を検出する場合を説明したが、本発明はこれに限定されるものではなく、例えば、火災によって生じる熱やＣＯから火災発生の有無を検出するなど、煙以外のファクタを代わりに（若しくは一緒に）用いて火災を検出するようにしてもよい。
【００６９】
すなわち、例を挙げれば、図６−１に例示するように、ある火災モード１では、周囲の温度が５０℃以上に達したか否かを判定し、他の火災モード２では、周囲の温度が６０℃以上に達したか否かを判定するなど、各モードで異なる閾値温度を用いて火災発生の検出処理を実行するようにしてもよい。
【００７０】
また、例を挙げれば、図６−２に例示するように、ある火災モード１では、定温式の判定（周囲の温度が所定の温度以上に達したか否かを判定）を行い、他の火災モード２では、差動式の判定（周囲の温度上昇率が所定の温度上昇率以上になったか否かを判定）を行って、火災発生の検出処理を実行するようにしてもよい。
【００７１】
さらに、例を挙げれば、図６−３に例示するように、ある火災モード１では、定温式の判定を行い、他の火災モード２では、補償式の判定（周囲の温度が所定の温度以上に達したか、若しくは、周囲の温度上昇率が所定の温度上昇率以上になったか否かを判定）を行って、火災発生の検出処理を実行するようにしてもよい。
【００７２】
（４）他の火災モード
上記の実施例では、発炎火災とくん焼火災を想定して発炎モードとくん焼モードを採用する場合を説明したが、本発明はこれに限定されるものではなく、例えば、木材火災や紙火災、電化製品の火災など、発生状況が異なる他の火災を想定して、上記とは異なる他の火災モードを採用するようにしてもよい。
【００７３】
また、上記したような特別な火災を想定したモードだけでなく、多くの一般的な火災に対して普遍的に対応し得るように、汎用的な処理を実行する通常モードをも採用するようにしてもよい。なお、かかる通常モードを採用する意義は、モード選択に迷う利用者や、想定するモードが採用されていない利用者の便宜を図る点にもある。
【００７４】
（５）他のモード選択手法
上記の実施例では、モード切替スイッチ１３に「発炎」および「くん焼」のモード名を明示することでモード選択を受け付ける場合を説明したが、本発明はこれに限定されるものではなく、これとは異なる手法によってモード選択を受け付けるようにしてもよい。
【００７５】
すなわち、例を挙げれば、図７−１に例示するように、「寝室」と「くん焼モード」とを対応付けるとともに、「台所」と「発炎モード」とを対応付けて、モード切替スイッチ１３に「寝室」および「台所」を明示するなど、警報器１０の設置場所と各モードの処理内容とを関係付けるようにしてもよい。なお、このように、警報器１０の設置場所と処理内容とを関係付ける意義は、各モードの処理内容の狙いが理解できない利用者や、さらには火災の特性を判断できない利用者（例えば、くん焼火災の意味内容を知らない利用者）でも、簡易に適切な処理内容を選択することを可能にする点にある。
【００７６】
また、例を挙げれば、図７−２に例示するように、モード切替スイッチ１３には「モード１」および「モード２」といった具合にモードの識別番号を明示し、かかる識別番号と各モードの処理内容との関係付けは、説明書などの他媒体で行うようにしてもよい。なお、この場合には、説明書などで、各処理内容の狙いや、各処理内容に適した設置場所などをモードごとに説明することが有効である。
【００７７】
なお、モード切替スイッチ１３は、図１−１や図７−１、図７−２、図１０−１、図１０−２に示すものに限定されず、例えばダイヤル形式のものを採用してもよい。また、点検スイッチ１２がモード切替スイッチ１３の機能をも兼ねる（例えば、２回連続で引いた場合には「発炎モード」が設定される）ようにしてもよく、さらには、警報器１０にタッチパネルとしての液晶画面を設け、かかるタッチパネルに表示されるガイダンスに従って、タッチパネル上でモードを選択できるようにしてもよい。
【００７８】
（６）利用者の特性
上記の実施例では、発炎火災やくん焼火災など、特性（発生状況）が異なる複数の火災にそれぞれ対応した処理を実行する場合を説明したが、本発明はこれに限定されるものではなく、例えば、大人や老人、子供、健常者、障害者、喫煙者、非喫煙者など、特性（知覚能力や運動能力、ライフスタイル）が異なる複数の利用者にそれぞれ対応した処理を実行する場合にも、本発明を同様に適用することができる。そして、これによって、種々の利用者の安全性を機動的に確保することが可能になる。
【００７９】
すなわち、例を挙げれば、図８−１〜図８−３に例示するように、大人と子供や老人との間における、警報内容を知覚する能力の違いや、消火活動や避難活動などを行う際の運動能力の違いを考慮して、「子供、老人モード」と「大人モード」とを採用し、各モードで「子供、老人」または「大人」に対応した検出処理、警報処理および／または移報処理を実行するようにしてもよい。より具体的には、「老人モード」では高齢者でも聞き取りやすい２．５Ｈｚ以下の警報を出力し、「子供モード」では眠っている子供でも気づき易い大音量の警報や、聞き慣れている母親の声色を録音した警報を出力するなど、モードごとに音声メッセージの周波数や音量、声色を変えて出力してもよい。
【００８０】
また、例を挙げれば、図９−１に例示するように、利用者のライフスタイルから見た火災発生可能性の高低を考慮して、「喫煙者モード」と「非喫煙者モード」とを採用し、各モードで「喫煙者」または「非喫煙者」に対応した検出処理等を実行するようにしてもよい。
【００８１】
さらに、例を挙げれば、図９−２に例示するように、健常者と視覚障害者や聴覚障害者との間における、警報内容を知覚する能力の違いや、消火活動や避難活動などを行う際の運動能力の違いを考慮して、「視覚障害者モード」と「聴覚障害者モード」と「健常者モード」とを採用し、各モードで「視覚障害者」、「聴覚障害者」または「健常者」に対応した警報処理等を実行するようにしてもよい。
【００８２】
なお、図９−２において、視覚障害者モードの音声レベルを大音量にする意義は、主に聴覚で警報を知覚する視覚障害者を考慮して、大音量で警報を確実に知覚することを可能にする点にある。また、同様に、聴覚障害者モードの表示出力を点滅にする意義は、主に視覚で警報を知覚する聴覚障害者を考慮して、変化を付けて警報を確実に知覚することを可能にする点にある。
【００８３】
（７）他の警報手法
上記の実施例では、警報ランプ７を用いて警報表示を行う場合を説明したが、本発明はこれに限定されるものではなく、これとは別に聴覚障害者用の特殊ランプをも用いて警報表示を行うことで、聴覚障害者が警報を確実に知覚することができるようにしてもよい。
【００８４】
すなわち、例を挙げれば、図１０−１に例示するように、警報器１０の見易い位置（例えば、チャンバー表面）に特殊ランプ９を設け、「聴覚障害者モード」では、この特殊ランプ９を点灯または点滅させるようにしてもよい。なお、この場合には、特殊ランプ９として、キセノンバブルや白色高輝度ＬＥＤを採用して、スポット状の強い光をフラッシュさせることが有効である。
【００８５】
また、例を挙げれば、図１０−２に例示するように、警報器１０に単色（白色、赤色、黄色など）のＬＥＤを内蔵し、このＬＥＤを透明樹脂または半透明樹脂で覆うことで特殊ランプ９を形成し、「聴覚障害者モード」では、この特殊ランプ９（透明樹脂または半透明樹脂の全体）を点灯または点滅させるようにしてもよい。なお、この場合には、ＬＥＤを覆う透明樹脂または半透明樹脂の表面をＶカットやダイヤカットで加工して、視認性を高めることが有効である。
【００８６】
さらに、例を挙げれば、チャンバー部分にＬＥＤを設けるとともにチャンバー表面を半透明にすることで、チャンバー表面を特殊ランプ９として形成し、「聴覚障害者モード」では、いわゆる共同住宅用小型熱ＤＦＰ型やＤＳＩ型と同様の手法で、この特殊ランプ９（チャンバー表面）を点灯または点滅させるようにしてもよい。
【００８７】
なお、上記した実施例では、視覚を介した警報（ランプによる警報）および聴覚を介した警報（スピーカによる警報）を行う場合を説明したが、本発明はこれに限定されるものではなく、例えば、におい（香り）を出力する、警報器１０本体を振動させるなど、他の知覚を介した警報を行うような場合にも同様に適用することができる。さらに、警報を出力する媒体は必ずしも警報器１０本体に限定されるものではなく、例えば、利用者に小型受信機を携帯させ、これに対して警報器１０から警報信号を送信して警報（振動）を出力する場合など、警報器１０本体以外の他の機器も用いてもよい。
【００８８】
（８）火災および利用者の特性
上記では、特性（発生状況）が異なる複数の火災を考慮した処理を実行する場合と、特性（知覚能力や運動能力、ライフスタイル）が異なる複数の利用者を考慮した処理を実行する場合とを説明したが、本発明はこれに限定されるものではなく、特性が異なる複数の火災および利用者の両者をともに考慮した処理を実行するようにしてもよい。
【００８９】
すなわち、例を挙げれば、図１１−１に示すように、発炎火災であるかくん焼火災であるかを考慮するとともに、大人であるか老人であるかを考慮し、さらに、喫煙者であるか非喫煙者であるかを考慮することで、８個（２×２×２）のモードを採用し、各モードで異なる検出処理、警報処理および／または移報処理を実行するようにしてもよい。
【００９０】
なお、この場合には、図１１−２に示すように、「発炎火災」または「くん焼火災」の選択、「大人」または「老人」の選択、「喫煙者」または「非喫煙者」の選択をそれぞれ行うことができるように、複数選択が可能なモード切替スイッチ１３を形成することが望ましい。
【００９１】
（９）他の警報器
上記の実施例では、壁掛け用の火災警報器に本発明を適用した場合を説明したが、本発明はこれに限定されるものではなく、壁掛け用以外の天井設置型の警報器にも同様に適用することができ、さらには、火災とガス漏れ（炭化水素ガス）を検出する警報器や、ガス漏れのみを検出する警報器などにも同様に適用することができる。
【００９２】
さらに、火災やガス漏れという異常を検出する警報器に本発明を適用する場合に限定されるものではなく、監視領域の異常（例えば、侵入など）に対して検出処理、警報処理および／または移報処理を実行する（例えば、人間の侵入と動物の侵入とをそれぞれ想定して処理を実行する）警報器であれば、本発明を同様に適用することができる。
【００９３】
（１０）システム構成等
また、図２に示した警報器１０の各構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成することができる。
【００９４】
さらに、警報器１０にて行なわれる各処理機能は、その全部または任意の一部が、ＣＰＵおよび当該ＣＰＵにて解析実行されるプログラムにて実現される必要は必ずしもなく、電気回路などによるハードウェアとして実現してもよい。
【００９５】
また、上記の実施例で説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報（特に、各テーブルに規定した情報）については、特記する場合を除いて任意に変更することができる。
【００９６】
なお、上記の実施例で説明した各種の処理方法（検出処理、警報処理、移報処理などの方法）は、あらかじめ用意されたプログラムを警報器としてのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、警報器としてのコンピュータによって記録媒体から読み出されることによって実行することもできる。
【産業上の利用可能性】
【００９７】
以上のように、本発明に係る警報器は、火災警報器やガス漏れ警報器、火災ガス漏れ警報器など、監視領域で発生する異常に対して検出処理や警報処理、移報処理を実行する警報器に有用であり、特に、監視領域における安全性を機動的に確保することに適する。
【図面の簡単な説明】
【００９８】
【図１−１】本実施例に係る警報器の正面の外観構成を示す外観図である。
【図１−２】本実施例に係る警報器の側面の外観構成を示す外観図である。
【図２】本実施例に係る警報器の内部構成を示すブロック図である。
【図３−１】検出処理用テーブルに記憶される情報の構成例を示す図である。
【図３−２】警報処理用テーブルに記憶される情報の構成例を示す図である。
【図４−１】検出処理用テーブルに記憶される情報の構成例を示す図である。
【図４−２】警報処理用テーブルに記憶される情報の構成例を示す図である。
【図５−１】検出処理用テーブルに記憶される情報の構成例を示す図である。
【図５−２】警報処理用テーブルに記憶される情報の構成例を示す図である。
【図６−１】検出処理用テーブルに記憶される情報の構成例を示す図である。
【図６−２】検出処理用テーブルに記憶される情報の構成例を示す図である。
【図６−３】検出処理用テーブルに記憶される情報の構成例を示す図である。
【図７−１】モード切替スイッチの構成例を示す外観図である。
【図７−２】モード切替スイッチの構成例を示す外観図である。
【図８−１】検出処理用テーブルに記憶される情報の構成例を示す図である。
【図８−２】警報処理用テーブルに記憶される情報の構成例を示す図である。
【図８−３】移報処理用テーブルに記憶される情報の構成例を示す図である。
【図９−１】検出処理用テーブルに記憶される情報の構成例を示す図である。
【図９−２】警報処理用テーブルに記憶される情報の構成例を示す図である。
【図１０−１】特殊ランプの構成例を示す外観図である。
【図１０−２】特殊ランプの構成例を示す外観図である。
【図１１−１】検出処理用テーブル等の構成例を示す図である。
【図１１−２】モード切替スイッチの構成例を示す外観図である。
【図１２】発炎火災の発生状況を説明するための図である。
【図１３】くん焼火災の発生状況を説明するための図である。
【符号の説明】
【００９９】
１  表カバー
２  裏カバー
３  係止部
４  取付穴
５  ビス
６  警報ランプ
７  スピーカ
８  移報用リード線
９  特殊ランプ
１０  警報器
１１  煙検出部
１２  点検スイッチ
１３  モード切替スイッチ
１４  表示出力部
１５  音声出力部
１６  移報出力部
１７  記憶部
２０  制御部
２１  モード設定部
２２  検出処理部
２３  警報処理部
２４  移報処理部
【図１−１】
2005165740.tif 000003
【図１−２】
2005165740.tif 000004
【図２】
2005165740.tif 000005
【図３−１】
2005165740.tif 000006
【図３−２】
2005165740.tif 000007
【図４−１】
2005165740.tif 000008
【図４−２】
2005165740.tif 000009
【図５−１】
2005165740.tif 000010
【図５−２】
2005165740.tif 000011
【図６−１】
2005165740.tif 000012
【図６−２】
2005165740.tif 000013
【図６−３】
2005165740.tif 000014
【図７−１】
2005165740.tif 000015
【図７−２】
2005165740.tif 000016
【図８−１】
2005165740.tif 000017
【図８−２】
2005165740.tif 000018
【図８−３】
2005165740.tif 000019
【図９−１】
2005165740.tif 000020
【図９−２】
2005165740.tif 000021
【図１０−１】
2005165740.tif 000022
【図１０−２】
2005165740.tif 000023
【図１１−１】
2005165740.tif 000024
【図１１−２】
2005165740.tif 000025
【図１２】
2005165740.tif 000026
【図１３】
2005165740.tif 000027